(57)【要約】【課題】ジェルネイルを行う際、これに用いられるジェルの取扱いを容易化することができるジェル収容ケースを提供する。【解決手段】ジェル収容空間Ｃが形成されたケース本体１２の内ケース１６に、その周面壁１６Ａからジェル収容空間Ｃの中心寄りに離れた位置において、その底面壁１６Ｂから上方へ向けてジェル収容空間Ｃの上端縁近傍位置まで延びる突起片１６Ｄが形成された構成とする。これにより、ジェルネイルを行う際、ジェル収容空間Ｃに収容されたジェルＧに筆先５２を漬けた後、この筆先５２を突起片１６Ｄの上端縁１６Ｄａに押し当てて、余分なジェルＧを削ぎ落とせるようにする。そしてこれにより、従来のように、ケース本体１２の周面壁の外面に沿って垂れたジェルＧに触れたネイリストの指先を汚したり、その上端開口部１２ａに付着したジェルＧが硬化して、次のジェルネイルを行う際にキャップを開けられなくなってしまうのを未然に防止する。【選択図】図４
2011235040.tif 000002
【特許請求の範囲】
【請求項１】
ジェルネイル用のジェルを収容するためのジェル収容空間が形成されたケース本体と、このケース本体の上端開口部を閉塞するためのキャップと、を備えてなるジェル収容ケースにおいて、
上記ケース本体に、該ケース本体の周面壁から上記ジェル収容空間の中心寄りに離れた位置において、該ケース本体の底面壁から上方へ向けて上記ジェル収容空間の上端縁近傍位置まで延びる突起片が形成されている、ことを特徴とするジェル収容ケース。
【請求項２】
上記突起片が、上記周面壁の内周面と略平行に延びるように形成された板状片で構成されている、ことを特徴とする請求項１記載のジェル収容ケース。
【請求項３】
上記突起片の上端縁と上記周面壁との最短距離が、上記突起片の上端縁の幅よりも大きい値に設定されている、ことを特徴とする請求項２記載のジェル収容ケース。
【請求項４】
上記突起片の上端縁が、該突起片の幅方向に関して凹曲線状に延びるように形成されている、ことを特徴とする請求項１〜３いずれか記載のジェル収容ケース。
【発明の詳細な説明】
【技術分野】
【０００１】
本願発明は、ジェルネイル用のジェルを収容するためのジェル収容ケースに関するものである。
【背景技術】
【０００２】
従来より、ネイルアートの手法の一つとしてジェルネイルが知られている。
【０００３】
このジェルネイルは、例えば「特許文献１」に記載されているように、紫外線硬化性のジェルを爪に塗布した後、このジェルが塗布された爪に紫外線を照射して、このジェルを硬化させることにより、人工爪を造形する手法である。
【先行技術文献】
【特許文献】
【０００４】
【特許文献１】特開２００９−１９５６６６号公報
【発明の概要】
【発明が解決しようとする課題】
【０００５】
このようなジェルネイルにより造形された人工爪は、無臭で光沢感があり、また、透明感が従来のマニキュアに比べて優れている、という利点がある。
【０００６】
しかしながら、このジェルネイルにおいては、流動性および粘着性のあるジェルが用いられるので、その取扱いが非常に難しい、という問題がある。
【０００７】
すなわち、このジェルネイルにおける一般的な動作としては、ジェル収容ケースのキャップを開けて、そのケース本体に収容されたジェルに筆先を漬けた後、この筆先をケース本体の上端開口部に押し当てて、筆先に付いた余分なジェルを削ぎ落としてから、筆先を上下反転させ、その下面に付着しているジェルを爪に塗布するようになっている。そして、このように筆先に付いた余分なジェルを削ぎ落とすことにより、爪に対して適正な範囲でジェルを塗布し得るようにしている。
【０００８】
しかしながら、図６に示すように、筆先５２から削ぎ落とされたジェルＧの一部は、ケース本体２の上端開口部２ａからその周面壁の外面に沿って垂れてしまうので、この垂れたジェルＧに触れたネイリストの指先を汚してしまう、という問題がある。
【０００９】
また、同図に示すように、ケース本体２の上端開口部２ａにジェルＧが付着したままの状態でキャップを閉めてしまうと、この付着したジェルＧが蛍光灯等からの照明光や太陽光に含まれる紫外線成分によって硬化してしまい、このため、次のジェルネイルで使用する際、キャップを開けることができなくなってしまう、という問題もある。
【００１０】
なお、ジェル収容ケースの近くにパレットを配置しておき、このパレットで筆先に付いた余分なジェルを削ぎ落とすようにすることも考えられる。
【００１１】
しかしながら、このようにした場合においても、筆先から糸を引くようにして垂れたジェルがケース本体の上端開口部に付着してしまいやすい、という問題がある。また、ジェルネイルに用いられるジェルはかなり高価であるが、パレットで削ぎ落とされたジェルについては、これをケース本体のジェル収容空間に回収することができない、という問題もある。
【００１２】
本願発明は、このような事情に鑑みてなされたものであって、ジェルネイルを行う際、これに用いられるジェルの取扱いを容易化することができるジェル収容ケースを提供することを目的とするものである。
【課題を解決するための手段】
【００１３】
本願発明は、ケース本体に所定の突起片が形成された構成とすることにより、上記目的達成を図るようにしたものである。
【００１４】
すなわち、本願発明に係るジェル収容ケースは、
ジェルネイル用のジェルを収容するためのジェル収容空間が形成されたケース本体と、このケース本体の上端開口部を閉塞するためのキャップと、を備えてなるジェル収容ケースにおいて、
上記ケース本体に、該ケース本体の周面壁から上記ジェル収容空間の中心寄りに離れた位置において、該ケース本体の底面壁から上方へ向けて上記ジェル収容空間の上端縁近傍位置まで延びる突起片が形成されている、ことを特徴とするものである。
【００１５】
上記「ケース本体」は、ジェル収容空間が形成されたものであれば、その周面壁の具体的な形状は特に限定されるものではない。
【００１６】
上記「突起片」は、ケース本体の周面壁からジェル収容空間の中心寄りに離れた位置において、ケース本体の底面壁から上方へ向けてジェル収容空間の上端縁近傍位置まで延びるように形成されたものであれば、その具体的な形成位置や、その具体的な形状等は特に限定されるものではない。その際、上記「ケース本体の周面壁からジェル収容空間の中心寄りに離れた位置」は、ジェル収容空間の中心位置であってもよいし、この中心位置と周面壁との間の位置であってもよい。
【発明の効果】
【００１７】
上記構成に示すように、本願発明に係るジェル収容ケースは、ジェル収容空間が形成されたケース本体に、その周面壁からジェル収容空間の中心寄りに離れた位置において、その底面壁から上方へ向けてジェル収容空間の上端縁近傍位置まで延びる突起片が形成されているので、次のような作用効果を得ることができる。
【００１８】
すなわち、ジェルネイルを行う際、本願発明に係るジェル収容ケースのキャップを開けて、そのケース本体のジェル収容空間に収容されたジェルに筆先を漬けた後、この筆先をケース本体の突起片の上端縁に押し当てて、筆先に付いた余分なジェルを削ぎ落としてから、筆先を上下反転させ、この筆先の下面に付着しているジェルを爪に塗布することにより、爪に対して適正な範囲でジェルを塗布することができる。
【００１９】
その際、削ぎ落とされたジェルは、突起片の上端縁から該突起片の側壁面に沿って流下してジェル収容空間に収容されたジェルに戻され、ケース本体の上端開口部に付着してしまうようなことはない。このため、従来のように、ケース本体の周面壁の外面に沿って垂れたジェルに触れたネイリストの指先を汚してしまうといった事態や、次のジェルネイルを行う際にキャップを開けられなくなってしまうといった事態が発生するおそれを最小限に抑えることができる。
【００２０】
したがって本願発明によれば、ジェルネイルを行う際、これに用いられるジェルの取扱いを容易化することができる。
【００２１】
しかも本願発明においては、余分なジェルを無駄なく回収して再利用することができるので、これによりジェルネイルを経済的に行うことができる。
【００２２】
上記構成において、突起片を、ケース本体の周面壁の内周面と略平行に延びるように形成された板状片で構成すれば、次のような作用効果を得ることができる。
【００２３】
すなわち、筆先を突起片の上端縁に押し当てて、筆先に付いた余分なジェルを削ぎ落とす際、このジェルがケース本体の上端開口部に不用意に付着してしまわないようにするためには、突起片をケース本体の周面壁からできるだけ離れた位置に配置することが好ましい。一方、ジェル収容空間に収容されたジェルに筆先を漬ける動作を円滑に行うためには、突起片をジェル収容空間の中心位置からできるだけ離れた位置に配置することが好ましい。
【００２４】
そこで、突起片を、ケース本体の周面壁の内周面と略平行に延びるように形成された板状片で構成するようにすれば、ケース本体の周面壁から突起片までの距離およびジェル収容空間の中心位置から突起片までの距離を、それぞれ最大限に確保することができる。
【００２５】
この場合において、突起片の上端縁とケース本体の周面壁との最短距離を、突起片の上端縁の幅よりも大きい値に設定すれば、筆先に付いた余分なジェルを削ぎ落とす際、このジェルがケース本体の上端開口部に付着してしまうおそれを効果的に低減することができる。
【００２６】
また、このように設定することにより、筆先から削ぎ落されて突起片の裏側に回ったジェルが、この裏側の部分で盛り上がってしまうことなく、ジェル収容空間の中心側に速やかに戻るようにすることができる。そしてこれにより、筆先から削ぎ落されたジェルが、筆先に再度付着したり、ケース本体の上端開口部から溢れてしまうのを、効果的に抑制することができる。
【００２７】
上記構成において、突起片の上端縁を、その幅方向に関して凹曲線状に延びるように形成すれば、筆先を突起片の上端縁に押し当てて、筆先に付いた余分なジェルを削ぎ落とす動作を行ったときに、筆先の幅がその先端へ向けて徐々に狭まった状態となり、筆先が自然に揃うようにすることが容易に可能となる。そしてこれにより、筆先に付着しているジェルを爪に塗布する動作を、より正確に行うことが可能となる。
【図面の簡単な説明】
【００２８】
【図１】本願発明の一実施形態に係るジェル収容ケースを示す斜視図
【図２】（ａ）は、上記ジェル収容ケースのケース本体を示す、図１のII−II線断面図、（ｂ）は、（ａ）のｂ方向矢視図
【図３】上記実施形態の作用を示す斜視図であって、（ａ）は、筆先に付いた余分なジェルを削ぎ落とす動作を示す図、（ｂ）は、上下反転させた筆先の下面に付着しているジェルを爪に塗布する動作を示す図
【図４】上記実施形態の作用を示す、上記ケース本体の側断面図
【図５】上記実施形態の変形例を示す図であって、（ａ）は、第１変形例に係るケース本体を示す斜視図、（ｂ）は、第２変形例に係るケース本体を示す側断面図
【図６】従来例を示す、図３（ａ）と同様の図
【発明を実施するための形態】
【００２９】
以下、図面を用いて、本願発明の実施の形態について説明する。
【００３０】
図１は、本願発明の一実施形態に係るジェル収容ケース１０を示す斜視図である。
【００３１】
同図に示すように、本実施形態に係るジェル収容ケース１０は、ジェルネイル用のジェルＧを収容するためのジェル収容空間Ｃが形成されたケース本体１２と、このケース本体１２の上端開口部１２ａを閉塞するためのキャップ１４とからなっている。
【００３２】
図２（ａ）は、このジェル収容ケース１０のケース本体１２を示す、図１のII−II線断面図あり、図２（ｂ）は、図２（ａ）のｂ方向矢視図である。
【００３３】
これらの図にも示すように、ケース本体１２は、ジェル収容空間Ｃが形成された内ケース１６と、この内ケース１６を下方側から覆うように配置された外ケース１８とからなっている。
【００３４】
内ケース１６は、底面部が閉じた円筒形状を有する合成樹脂製の射出成形品として構成されている。
【００３５】
この内ケース１６のジェル収容空間Ｃは、その直径が２０〜２５ｍｍ程度（例えば２２ｍｍ程度）に設定されており、その深さが１６〜２０ｍｍ程度（例えば１８ｍｍ程度）に設定されている。
【００３６】
この内ケース１６は、その周面壁１６Ａと底面壁１６Ｂとが大きなコーナＲを介して接続されており、その周面壁１６Ａの上端縁には、外周側へ向けて水平に突出するリング状のフランジ部１６Ｃが形成されている。これら周面壁１６Ａ、底面壁１６Ｂおよびフランジ部１６Ｃは、いずれも略同一の肉厚で形成されている。
【００３７】
また、この内ケース１６には、その周面壁１６Ａからジェル収容空間Ｃの中心寄りに離れた位置において、その底面壁１６Ｂから上方へ向けてジェル収容空間Ｃの上端縁近傍位置まで延びる突起片１６Ｄが形成されている。
【００３８】
この突起片１６Ｄは、ジェル収容空間Ｃの中心位置Ｏから多少外れた位置において、周面壁１６Ａの内周面の接線方向と略平行に延びるように形成された板状片で構成されている。この突起片１６Ｄは、その基端部の肉厚が底面壁１６Ｂの肉厚と略同じ値に設定されており、その基端部から先端部へ向けて徐々に肉厚が薄くなるように形成されている。
【００３９】
この突起片１６Ｄの上端縁１６Ｄａは、その高さ位置がジェル収容空間Ｃの上端縁よりも僅かに低い位置（例えば０．５〜２ｍｍ程度低い位置）に設定されている。また、この上端縁１６Ｄａは、水平面状に形成されており、その幅方向の両端部に小さいコーナＲが形成されている。
【００４０】
この突起片１６Ｄの幅Ｗは、Ｗ＝４〜６ｍｍ程度（例えばＷ＝５ｍｍ程度）の略一定値に設定されている。また、この突起片１６Ｄの肉厚は、その上端縁１６Ｄａにおいて０．４〜０．６ｍｍ程度（例えば０．５ｍｍ程度）の値に設定されている。
【００４１】
この突起片１６Ｄの上端縁１６Ｄａと周面壁１６Ａとの最短距離Ｄは、突起片１６Ｄの上端縁１６Ｄａの幅Ｗよりも大きい値（例えばＤ＝５．５ｍｍ程度）に設定されている。
【００４２】
外ケース１８は、底面部が閉じた円筒形状を有する合成樹脂製の射出成形品として構成されている。
【００４３】
この外ケース１８は、その周面壁１８Ａが底面壁１８Ｂよりも厚肉で形成されており、その周面壁１８Ａにおける上端部の外周面には、スクリュウ部１８ａが形成されている。
【００４４】
この外ケース１８に対して、その周面壁１８Ａに内接するようにして内ケース１６が挿入され、その周面壁１８Ａの上端面に内ケース１６のフランジ部１６Ｃが載置された状態で、内ケース１６と外ケース１８とが接着により固定されることにより、ケース本体１２が構成されている。その際、内ケース１６のフランジ部１６Ｃにより、ケース本体１２の上端開口部１２ａが構成されるようになっている。
【００４５】
キャップ１４は、天面部が閉じた円筒形状を有する合成樹脂製の射出成形品として構成されている。
【００４６】
このキャップ１４は、スクリュウキャップであって、その周面壁の内周面にスクリュウ部（図示せず）が形成されている。
【００４７】
そして、このキャップ１４を、ケース本体１２の上端開口部１２ａに載置した状態で回転させることにより、その上端開口部１２ａが閉塞されるようになっている。
【００４８】
ケース本体１２の外ケース１８およびキャップ１４は、紫外線（具体的には紫外線Ａ波、以下同様）に対する遮蔽性を有する合成樹脂材料で構成されている。
【００４９】
図３および４は、本実施形態のジェル収容ケース１０を用いたジェルネイルの動作を示す斜視図および側断面図である。
【００５０】
このジェルネイルは、次のようにして行われるようになっている。
【００５１】
まず、ジェル収容ケース１０のキャップ１４を開けて、図４（ａ）に示すように、ケース本体１２のジェル収容空間Ｃに収容された紫外線硬化性のジェル（例えば無色透明のクリアジェル）Ｇに、ジェルブラシ５０の筆先５２を漬けた後、この筆先５２を持ち上げる。
【００５２】
次に、この筆先５２を、図３（ａ）および図４（ｂ）に示すように、ケース本体１２における内ケース１６の突起片１６Ｄの上端縁１６Ｄａに押し当てて、筆先５２に付いた余分なジェルＧを削ぎ落とす。
【００５３】
これにより、図４（ｃ）に示すように、筆先５２の下面からジェルＧを除去した後、筆先５２を上下反転させる。
【００５４】
そして、この上下反転させた筆先５２の下面に付着しているジェルＧを、図３（ｂ）に示すように、指Ｆの爪Ｎに塗布することにより、爪Ｎに対して適正な範囲でジェルＧを塗布するようにする。
【００５５】
その後、このジェルＧが爪Ｎに塗布された指Ｆを、紫外線ランプ（図示せず）に挿入して、その爪Ｎに紫外線を照射する。そしてこれにより、爪Ｎに塗布されたジェルＧを硬化させて、人工爪を造形する。
【００５６】
以上詳述したように、本実施形態に係る本願発明に係るジェル収容ケース１０は、そのケース本体１２の内ケース１６が円筒状の周面壁１６Ａを有しており、そして、この内ケース１６には、その周面壁１６Ａからジェル収容空間Ｃの中心寄りに離れた位置において、その底面壁１６Ｂから上方へ向けてジェル収容空間Ｃの上端縁近傍位置まで延びる突起片１６Ｄが形成されているので、次のような作用効果を得ることができる。
【００５７】
すなわち、ジェルネイルを行う際、ジェル収容ケース１０のキャップ１４を開けて、そのケース本体１２のジェル収容空間Ｃに収容されたジェルＧに筆先５２を漬けた後、この筆先５２をケース本体１２の内ケース１６における突起片１６Ｄの上端縁１６Ｄａに押し当てて、筆先５２に付いた余分なジェルＧを削ぎ落としてから、筆先５２を上下反転させ、この筆先５２の下面に付着しているジェルＧを爪Ｎに塗布することにより、爪Ｎに対して適正な範囲でジェルＧを塗布することができる。
【００５８】
その際、削ぎ落とされたジェルＧは、突起片１６Ｄの上端縁１６Ｄａから該突起片１６Ｄの側壁面に沿って流下してジェル収容空間Ｃに収容されたジェルＧに戻され、ケース本体１２の上端開口部１２ａに付着してしまうようなことはない。このため、従来のように、ケース本体１２の周面壁の外面に沿って垂れたジェルＧに触れたネイリストの指先を汚してしまうといった事態や、次のジェルネイルを行う際にキャップ１４を開けられなくなってしまうといった事態が発生するおそれを最小限に抑えることができる。
【００５９】
したがって本実施形態によれば、ジェルネイルを行う際、これに用いられるジェルＧの取扱いを容易化することができる。
【００６０】
しかも本実施形態においては、余分なジェルＧを無駄なく回収して再利用することができるので、これによりジェルネイルを経済的に行うことができる。
【００６１】
しかも本実施形態においては、突起片１６Ｄが、ケース本体１２の内ケース１６における周面壁１６Ａの内周面の接線方向と略平行に延びるように形成された板状片で構成されているので、次のような作用効果を得ることができる。
【００６２】
すなわち、筆先５２を突起片１６Ｄの上端縁１６Ｄａに押し当てて、筆先５２に付いた余分なジェルＧを削ぎ落とす際、このジェルＧがケース本体１２の上端開口部１２ａに不用意に付着してしまわないようにするためには、突起片１６Ｄを内ケース１６の周面壁１６Ａからできるだけ離れた位置に配置することが好ましい。一方、ジェル収容空間Ｃに収容されたジェルＧに筆先５２を漬ける動作を円滑に行うためには、突起片１６Ｄをジェル収容空間Ｃの中心位置Ｏからできるだけ離れた位置に配置することが好ましい。
【００６３】
その点、本実施形態においては、突起片１６Ｄが、内ケース１６における周面壁１６Ａの内周面の接線方向と略平行に延びるように形成された板状片で構成されているので、周面壁１６Ａから突起片１６Ｄまでの距離およびジェル収容空間Ｃの中心位置Ｏから突起片１６Ｄまでの距離を、それぞれ最大限に確保することができる。
【００６４】
その際、本実施形態においては、突起片１６Ｄの上端縁１６Ｄａと内ケース１６の周面壁１６Ａとの最短距離Ｄが、突起片１６Ｄの上端縁１６Ｄａの幅Ｗよりも大きい値に設定されているので、筆先５２に付いた余分なジェルＧを削ぎ落とす際、このジェルＧがケース本体１２の上端開口部１２ａに付着してしまうおそれを効果的に低減することができる。
【００６５】
また、このようにＤ＞Ｗに設定されていることにより、筆先５２から削ぎ落されて突起片１６Ｄの裏側に回ったジェルＧが、この裏側の部分で盛り上がってしまうことなく、ジェル収容空間Ｃの中心側に速やかに戻るようにすることができる。そしてこれにより、筆先５２から削ぎ落されたジェルＧが、筆先５２に再度付着したり、ケース本体１２の上端開口部１２ａから溢れてしまうのを、効果的に抑制することができる。
【００６６】
さらに、本実施形態に係るジェル収容ケース１０は、ケース本体１２が内ケース１６と外ケース１８とで構成されているので、内ケース１６の形状自由度を高めることができる。そしてこれにより、突起片１６Ｄの形状およびその配置の自由度も高めることができる。
【００６７】
しかも、本実施形態に係るジェル収容ケース１０は、ケース本体１２の外ケース１８にキャップ１４が装着されることにより、ケース本体１２の内ケース１６が外部空間から遮断される構成となっているので、この内ケース１６については、紫外線に対する遮蔽性を有する合成樹脂材料で構成することを必要としない。したがって、内ケース１６の材質の選択の幅を拡げることができ、その際、突起片１６Ｄの形成に適した材質を容易に選択することが可能となる。
【００６８】
上記実施形態においては、突起片１２Ｄが、内ケース１６の底面壁１６Ｂから上方へ向けて略同一幅で延びるように形成されているものとして説明したが、その基端部から先端部へ向けて徐々にあるいは段階的に幅が減少するように形成された構成とすることも可能であり、また、突起片１２Ｄの下部領域に、内ケース１６の周面壁１６Ａまで延びる補強用リブが形成された構成とすることも可能である。
【００６９】
次に、上記実施形態の変形例について説明する。
【００７０】
まず、上記実施形態の第１変形例について説明する。
【００７１】
図５（ａ）は、本変形例に係るケース本体１１２を示す斜視図である。
【００７２】
本変形例に係るケース本体１１２の基本的は構成は、上記実施形態のケース本体１２と同様であるが、その内ケース１６の突起片１１６Ｄの構成が上記実施形態の突起片１６Ｄと異なっている。
【００７３】
すなわち、本変形例の突起片１１６Ｄは、その上端縁１１６Ｄａが、水平面ではなく、その幅方向に関して凹曲線状に延びる凹曲面で構成されている。その際、この上端縁１１６Ｄａにおける幅方向の中心位置とその両端位置との高低差は、上端縁１１６Ｄａの幅に対して、０．１〜０．３倍程度の値に設定されている。
【００７４】
なお、この突起片１１６Ｄにおける上端縁１１６Ｄａ以外の部分の構成は、上記実施形態の突起片１６Ｄの場合と同様である。
【００７５】
本変形例の構成を採用することにより、筆先５２を突起片１１６Ｄの上端縁１１６Ｄａに押し当てて、筆先５２に付いた余分なジェルＧを削ぎ落とす動作を行ったときに、筆先５２の幅がその先端へ向けて徐々に狭まった状態となり、筆先５２が自然に揃うようにすることが容易に可能となる。そしてこれにより、筆先５２に付着しているジェルＧを爪Ｎに塗布する動作を、より正確に行うことが可能となる。
【００７６】
次に、上記実施形態の第２変形例について説明する。
【００７７】
図５（ｂ）は、本変形例に係るケース本体２１２を示す側断面図である。
【００７８】
本変形例に係るケース本体２１２の基本的は構成は、上記実施形態のケース本体１２と同様であるが、このケース本体２１２は、上記実施形態のケース本体１２を構成している内ケース１６と外ケース１８とが一体的に形成された構成となっている。
【００７９】
このケース本体２１２は、紫外線に対する遮蔽性を有する合成樹脂材料を用いた射出成形品として構成されている。
【００８０】
本変形例の構成を採用することにより、ジェル収容ケースの部品点数を最小限に抑えることができ、また、上記実施形態のケース本体１２のように内ケース１６と外ケース１８とを接着等により固定する必要をなくすことができる。
【００８１】
本変形例に係るケース本体２１２においても、筆先５２を突起片２１２Ｄの上端縁２１２Ｄａに押し当てて、筆先５２に付いた余分なジェルＧを削ぎ落とすことができる構成となっているので、ケース本体２１２の上端開口部２１２ａの表面形状を、この上端開口部２１２ａにおいてジェルＧを削ぎ落とすことを考慮した形状とする必要がない。したがって、本変形例のような構成を採用したことによって、ジェルネイルを行う際に特に支障が生じてしまうことはない。
【００８２】
なお、上記実施形態および各変形例において諸元として示した数値は一例にすぎず、これらを適宜異なる値に設定してもよいことはもちろんである。
【符号の説明】
【００８３】
１０  ジェル収容ケース
１２、１１２、２１２  ケース本体
１２ａ、２１２ａ  上端開口部
１４  キャップ
１６、１１６  内ケース
１６Ａ、１８Ａ  周面壁
１６Ｂ、１８Ｂ  底面壁
１６Ｃ  フランジ部
１６Ｄ、１１６Ｄ、２１２Ｄ  突起片
１６Ｄａ、１１６Ｄａ、２１２Ｄａ  上端縁
１８  外ケース
１８ａ  スクリュウ部
５０  ジェルブラシ
５２  筆先
Ｃ  ジェル収容空間
Ｆ  指
Ｇ  ジェル
Ｎ  爪
Ｏ  中心位置
【図１】
2011235040.tif 000003
【図２】
2011235040.tif 000004
【図３】
2011235040.tif 000005
【図４】
2011235040.tif 000006
【図５】
2011235040.tif 000007
【図６】
2011235040.tif 000008